(57)【要約】新たなライセンスされたコンテンツがライセンス権を有する更新可能記憶メディアにダウンロード及び保存される、更新された記憶メディアにおけるコンテンツのライセンスを与えるシステム及び方法が提供される。このライセンス権は記憶メディアのＳＭＬＤに保存される。この権利はインターネット上の権利管理サーバにより認証される。権利管理サーバによりユーザが新たなコンテンツの権利を所有していると判断されれば、ユーザはコンテンツサーバからの新たなコンテンツのアクセスとダウンロードが許可される。本発明は、音楽、映画、Ｂ２Ｂ、教育及びテレビのようなさまざまな業界において利用可能であり、ＤＶＤ記憶メディア、ＣＤ記憶メディア及びハイブリッド光ディスクメディアのようなさまざまなメディアにおいて実現される。
2004530241.tif 000002
【特許請求の範囲】
【請求項１】
新たなコンテンツの認証された保存のための記憶メディアライセンスデータ；及び
前記新たなコンテンツを保存するための記憶領域；
からなることを特徴とする更新可能記憶メディア。
【請求項２】
請求項１記載の更新可能記憶メディアであって、さらに、読み出し専用データ領域を備えることを特徴とするメディア。
【請求項３】
請求項２記載の更新可能記憶メディアであって、前記読み出し専用データ領域は、さらに、オーディオトラックを備えることを特徴とするメディア。
【請求項４】
請求項２記載の更新可能記憶メディアであって、前記読み出し専用データ領域は、さらに、映像コンテンツを備えることを特徴とするメディア。
【請求項５】
請求項２記載の更新可能記憶メディアであって、前記読み出し専用データ領域は、さらに、データコンテンツを備えることを特徴とするメディア。
【請求項６】
請求項１記載の更新可能記憶メディアであって、前記記憶メディアライセンスデータは、前記新たなコンテンツへのアクセスの先行ライセンスであることを特徴とするメディア。
【請求項７】
請求項１記載の更新可能記憶メディアであって、前記記憶メディアライセンスデータは、前記新たなコンテンツへのアクセスのため権利管理サーバと交渉することを特徴とするメディア。
【請求項８】
請求項１記載の更新可能記憶メディアであって、さらに、前記新たなコンテンツへのアクセスのため前記更新可能記憶メディアをコンテンツサーバに接続する少なくとも１つのウェブリンクを含むウェブリンクデータベースを備えることを特徴とするメディア。
【請求項９】
請求項１記載の更新可能記憶メディアであって、前記記憶メディアライセンスデータは、さらに、ホストデバイスのユーザインターフェースをプログラムするための自動指示を備えることを特徴とするメディア。
【請求項１０】
請求項１記載の更新可能記憶メディアであって、前記新たなコンテンツは暗号化されていることを特徴とするメディア。
【請求項１１】
請求項１０記載の更新可能記憶メディアであって、前記新たなコンテンツは、キーサーバにより取得された鍵により解読されることを特徴とするメディア。
【請求項１２】
請求項１０記載の更新可能記憶メディアであって、前記新たなコンテンツは、記憶メディア読み出し専用データ領域から取得された鍵により解読されることを特徴とするメディア。
【請求項１３】
新たなコンテンツへの認証されたアクセスを取得するための記憶メディアライセンスデータ；及び
前記新たなコンテンツを保存するための記憶領域；
からなることを特徴とする更新可能記憶メディア。
【請求項１４】
請求項１３記載の更新可能記憶メディアであって、さらに、読み出し専用データ領域を備えることを特徴とするメディア。
【請求項１５】
請求項１４記載の更新可能記憶メディアであって、前記読み出し専用データ領域は、さらに、オーディオトラックを備えることを特徴とするメディア。
【請求項１６】
請求項１４記載の更新可能記憶メディアであって、前記読み出し専用データ領域は、さらに、映像コンテンツを備えることを特徴とするメディア。
【請求項１７】
請求項１４記載の更新可能記憶メディアであって、前記読み出し専用データ領域は、さらに、データコンテンツを備えることを特徴とするメディア。
【請求項１８】
請求項１３記載の更新可能記憶メディアであって、前記記憶メディアライセンスデータは、前記新たなコンテンツへのアクセスの先行ライセンスであることを特徴とするメディア。
【請求項１９】
請求項１３記載の更新可能記憶メディアであって、前記記憶メディアライセンスデータは、前記新たなコンテンツへのアクセスのため権利管理サーバと交渉することを特徴とするメディア。
【請求項２０】
請求項１３記載の更新可能記憶メディアであって、さらに、前記新たなコンテンツへのアクセスのため前記更新可能記憶メディアをコンテンツサーバに接続する少なくとも１つのウェブリンクを含むウェブリンクデータベースを備えることを特徴とするメディア。
【請求項２１】
請求項１３記載の更新可能記憶メディアであって、前記記憶メディアライセンスデータは、さらに、ホストデバイスのユーザインターフェースをプログラムするための自動指示を備えることを特徴とするメディア。
【請求項２２】
請求項１３記載の更新可能記憶メディアであって、前記新たなコンテンツは暗号化されていることを特徴とするメディア。
【請求項２３】
請求項２２記載の更新可能記憶メディアであって、前記新たなコンテンツは、キーサーバにより取得された鍵により解読されることを特徴とするメディア。
【請求項２４】
請求項２２記載の更新可能記憶メディアであって、前記新たなコンテンツは、記憶メディア読み出し専用データ領域から取得された鍵により解読されることを特徴とするメディア。
【請求項２５】
新たなコンテンツにより記録可能記憶メディアを更新するためのシステムであって：
記憶メディアライセンスデータを有する記録可能記憶メディア；
前記記憶メディアライセンスデータが前記新たなコンテンツへのアクセスを許可するかどうか判断する権利管理サーバ；及び
前記新たなコンテンツを前記記録可能記憶メディアに提供する少なくとも１つのコンテンツサーバ；
からなることを特徴とするメディア。
【請求項２６】
請求項２５記載のシステムであって、前記権利管理サーバと前記少なくとも１つのコンテンツサーバは、１つのデバイスの中に一体的に設置されることを特徴とするシステム。
【請求項２７】
請求項２５記載のシステムであって、さらに、前記記録可能記憶メディアが動作するユーザ端末を備えることを特徴とするシステム。
【請求項２８】
請求項２７記載のシステムであって、前記ユーザ端末は、さらに、前記記録可能記憶メディアを前記権利管理サーバと前記少なくとも１つのコンテンツサーバに接続するためのネットワークインターフェースを備えることを特徴とするシステム。
【請求項２９】
請求項２５記載のシステムであって、前記記録可能記憶メディアはＣＤ−ＳＭであることを特徴とするシステム。
【請求項３０】
請求項２５記載のシステムであって、前記記録可能記憶メディアはＤＶＤ−ＳＭであることを特徴とするシステム。
【請求項３１】
請求項２５記載のシステムであって、前記記録可能記憶メディアはＤＶＤプラス−ＳＭであることを特徴とするシステム。
【請求項３２】
記憶メディアライセンスデータを有する更新可能記憶メディアであって、前記記憶メディアライセンスデータが：
デジタル権利管理スクリプト；
該デジタル権利管理スクリプトに接続され、新たなコンテンツへのアクセス許可を判断する権利管理サーバにより確認されるデジタル権利データ；
記憶領域管理スクリプト；及び
該記憶領域管理スクリプトに接続され、前記新たなコンテンツのための記憶配置情報を提供する記憶領域データ；
からなることを特徴とするメディア。
【請求項３３】
請求項３２記載の更新可能記憶メディアであって、前記記憶メディアライセンスデータの前記記憶領域管理スクリプトは、さらに、データインテグリティを確保するため、前記新たなコンテンツのデータサイズに関し記憶領域をチェックするためのビットバジェット管理を備えることを特徴とするメディア。
【請求項３４】
請求項３２記載の更新可能記憶メディアであって、前記記憶メディアライセンスデータは、さらに、読み出し専用コンテンツとともに前記新たなコンテンツを同時にアクセスするためのメニューを生成する操作管理データの読み出しを実行させる操作管理スクリプトを備えることを特徴とするメディア。
【請求項３５】
更新可能記憶メディアに新たなコンテンツのライセンスを与える方法であって：
記憶メディアライセンスデータを有する記憶メディアを取得するステップ；
新たなコンテンツがダウンロード及び保存可能かどうか確認するステップ；
ユーザが前記新たなコンテンツへのアクセスを許可されているか判断するステップ；及び
前記ユーザが許可されている場合、前記新たなコンテンツを前記記憶メディアにダウンロード及び保存するステップ；
からなることを特徴とする方法。
【請求項３６】
請求項３５記載の方法であって、前記確認するステップは、前記記憶メディアが利用されるたびに実行されることを特徴とする方法。
【請求項３７】
請求項３５記載の方法であって、前記確認するステップは、プログラムされた間隔で実行されることを特徴とする方法。
【請求項３８】
請求項３５記載の方法であって、前記判断するステップは、さらに、比較のため前記記憶メディアライセンスデータを権利管理サーバに送信するステップを備えることを特徴とする方法。
【請求項３９】
請求項３５記載の方法であって、さらに、前記ユーザが許可されていない場合、前記新たなコンテンツの権利を交渉するステップを備えることを特徴とする方法。
【請求項４０】
請求項３５記載の方法であって、前記ダウンロード及び保存するステップは、さらに、前記新たなコンテンツを暗号化するステップを備えることを特徴とする方法。
【請求項４１】
請求項４０記載の方法であって、さらに、キーサーバから取得された鍵により前記新たなコンテンツを解読するステップを備えることを特徴とする方法。
【請求項４２】
請求項４０記載の方法であって、さらに、前記記憶メディアの読み出し専用データ領域から取得された鍵により前記新たなコンテンツを解読するステップを備えることを特徴とする方法。
【請求項４３】
更新可能記憶メディアに新たなコンテンツのライセンスを与える方法であって：
記憶メディアライセンスデータを有する記憶メディアを取得する手段；
新たなコンテンツがダウンロード及び保存可能かどうか確認する手段；
ユーザが前記新たなコンテンツへのアクセスを許可されているか判断する手段；及び
前記ユーザが許可されている場合、前記新たなコンテンツを前記記憶メディアにダウンロード及び保存する手段；
からなることを特徴とする方法。
【請求項４４】
請求項４３記載の方法であって、前記ダウンロード及び保存するステップは、さらに、ケーブル送信または無線送信からのアナログコンテンツである前記新たなコンテンツをデジタル符号化するステップを備えることを特徴とする方法。
【請求項４５】
更新可能記憶メディアに新たなコンテンツのライセンスを与える方法であって：
記憶メディアを取得するステップ；
前記記憶メディアに記憶メディアライセンスデータを追加するステップ；
新たなコンテンツがダウンロード及び保存可能かどうか確認するステップ；
ユーザが前記新たなコンテンツへのアクセスを許可されているか判断するステップ；及び
前記ユーザが許可されている場合、前記新たなコンテンツを前記記憶メディアにダウンロード及び保存するステップ；
からなることを特徴とする方法。
【請求項４６】
請求項４５記載の方法であって、前記判断するステップは、さらに、比較のため前記記憶メディアライセンスデータを権利管理サーバに送信するステップを備えることを特徴とする方法。
【請求項４７】
請求項４５記載の方法であって、さらに、前記ユーザが許可されていない場合、前記新たなコンテンツの権利を交渉するステップを備えることを特徴とする方法。
【請求項４８】
請求項４５記載の方法であって、前記ダウンロード及び保存するステップは、さらに、ケーブル送信または無線送信からのアナログコンテンツである前記新たなコンテンツをデジタル符号化するステップを備えることを特徴とする方法。
【請求項４９】
更新可能記憶メディアに新たなコンテンツのライセンスを与える方法であって：
ユーザに記憶メディアライセンスデータを有する記憶メディアを提供するステップ；
前記ユーザによるダウンロード及び保存のため新たなコンテンツを提供するステップ；
前記ユーザが前記新たなコンテンツへのアクセスを許可されているか判断するステップ；及び
前記ユーザが許可されている場合、前記新たなコンテンツの前記記憶メディアへのダウンロード及び保存を可能にするステップ；
からなることを特徴とする方法。
【請求項５０】
請求項４９記載の方法であって、前記判断するステップは、さらに、権利管理サーバの前記記憶メディアライセンスデータを受信するステップを備えることを特徴とする方法。
【請求項５１】
請求項４９記載の方法であって、さらに、前記ユーザが許可されていない場合、前記新たなコンテンツの権利を交渉するステップを備えることを特徴とする方法。
【請求項５２】
請求項４９記載の方法であって、前記ダウンロード及び保存するステップは、さらに、ケーブル送信または無線送信からのアナログコンテンツである前記新たなコンテンツをデジタル符号化するステップを備えることを特徴とする方法。
【請求項５３】
更新可能記憶メディアに新たなコンテンツのライセンスを与える方法であって：
ユーザに記憶メディアライセンスデータを有する記憶メディアを提供する手段；
前記ユーザによるダウンロード及び保存のため新たなコンテンツを提供する手段；
前記ユーザが前記新たなコンテンツへのアクセスを許可されているか判断する手段；及び
前記ユーザが許可されている場合、前記新たなコンテンツの前記記憶メディアへのダウンロード及び保存を可能にする手段；
からなることを特徴とする方法。
【請求項５４】
請求項５３記載の方法であって、前記ダウンロード及び保存するステップは、さらに、ケーブル送信または無線送信からのアナログコンテンツである前記新たなコンテンツをデジタル符号化するステップを備えることを特徴とする方法。
【請求項５５】
更新可能記憶メディアに新たなコンテンツのライセンスを与える方法であって：
ユーザに記憶メディアを提供するステップ；
前記記憶メディアに記憶メディアライセンスデータを提供するステップ；
前記ユーザによるダウンロード及び保存のため新たなコンテンツを提供するステップ；
前記ユーザが前記新たなコンテンツへのアクセスを許可されているか判断するステップ；及び
前記ユーザが許可されている場合、前記新たなコンテンツの前記記憶メディアへのダウンロード及び保存を可能にするステップ；
からなることを特徴とする方法。
【請求項５６】
請求項５５記載の方法であって、前記ダウンロード及び保存するステップは、さらに、ケーブル送信または無線送信からのアナログコンテンツである前記新たなコンテンツをデジタル符号化するステップを備えることを特徴とする方法。
【発明の詳細な説明】
【技術分野】
【０００１】
［関連出願に関する相互参照］
本出願は、参照することによりここに含まれる２００１年２月２０日に出願されたオーストラリア仮特許出願第ＰＲ３２１７号「更新可能デジタルメディアにおけるコンテンツライセンス方法」の効果を主張するものである。
本発明は、一般に光ディスクフォーマットに関し、特に、記録可能なコンテンツのためのライセンスされた記憶領域を含む書き込み可能（ｗｒｉｔａｂｌｅ）あるいは書き換え可能（ｒｅ−ｗｒｉｔａｂｌｅ）光ディスクフォーマットに関する。
【背景技術】
【０００２】
近年、コレクタブル（ｃｏｌｌｅｃｔａｂｌｅ）デジタルメディアを通じたデータ、音楽、ビデオまたは他の情報形式でのコンテンツの配信が盛んになってきている。コレクタブルデジタルメディアには、コンパクトディスク（ＣＤ）、デジタル多用途ディスク（ＤＶＤ）、ミニディスク（ｍｉｎｉｄｉｓｋ）、及びメモリースティック（ｍｅｍｏｒｙ  ｓｔｉｃｋ）が含まれる。これらのコレクタブルメディアにより、ユーザはそのユーザの特定の興味に応じたコンテンツの取得が可能となる。この興味には、トラックタイトルやアーティストの写真のような、メディアとともに与えられる作品やメディアに含まれるデータについて与えられる解説が含まれているかもしれない。さらなる効果として、音楽業界のような業界では、コレクタブルメディア（例えば、アルバムのＣＤ）のプロモーションをし、関連したプロモーションキャンペーンでコレクタブルな画像やコンテンツを利用することができる。
【０００３】
このコレクタブルというアイデアはある業界にとっては基本的に重要である。例えば、ブロードバンドインターネットのような収束する技術の進化は、音楽や他の類似の業界の存亡にとって長期的に脅威となるかもしれない（例えば、インターネットを介した音楽のダウンロードや記録は、音楽ＣＤの販売にとって重大な脅威になっている）。この脅威は、音楽業界がＣＤやミニディスクのようなコレクタブルメディアの制作、流通、販売に大きく依存していることに起因する。
【０００４】
書き込み可能なディスクメディアはユーザに容易に利用可能である。このメディアにより、ユーザは任意の光ディスクのデジタルコピーの作成が可能であるが、しかしオリジナルのコレクタブルメディアの購入とともに通常与えられるコレクタブルな画像及びオプションはユーザには与えられていない。書き込み可能なディスクメディアはまた、ユーザにオリジナルのコレクタブルメディアのデジタルコピーの作成に関する著作権や他の法的権利を侵害することを認めていない。このことは、デジタルメディアにおいては、各コピーがそれ自体マスタになりえるので、最もよく起こる問題である。
【０００５】
従来技術によるエンハンスＣＤ（Ｅ−ＣＤ）フォーマットのコンテンツ構成に関するブロック図である図１に一例となる書き込み可能なディスクが示されている。Ｅ−ＣＤはオーディオプレーヤーにおける標準的な音楽ＣＤと同様に再生される一方、パーソナルコンピュータの互換性のあるＣＤ−ＲＯＭドライブに搭載可能な付属のマルチメディアコンテンツを含んでいる。従来のＥ−ＣＤは、プレイオールセレクタ（ｐｌａｙａｌｌ  ｓｅｌｅｃｔｏｒ）１０２、ビデオセレクタ１０４、ウェブリンクセレクタ１０６、バイオグラフィセレクタ（ｂｉｏｇｒａｐｈｙ  ｓｅｌｅｃｔｏｒ）１０８、フォトセレクタ（ｐｈｏｔｏ  ｓｅｌｅｃｔｏｒ）１１０及びオーディオセレクタ１１２からなるメインメニューセクション１００を備える。各セレクタユニットはそれぞれのデータベースに接続される。従って、ビデオセレクタ１０４はビデオクリップ１１６を含むビデオギャラリ１１４に接続され、ウェブリンクセレクタ１０６はウェブアドレスを含むウェブリンクデータベース１１８に接続される。同様に、アーティストの経歴情報を含む経歴データベースがバイオグラフィセレクタ１０８に接続され、フォトギャラリ１２２に保存されている写真がフォトセレクタ１１０に提供される。Ｅ−ＣＤはさらに、複数のオーディオトラック１２６を含むオーディオトラックデータベース１２４を備える。従って、Ｅ−ＣＤは、ＣＤプレーヤーにおける標準的なオーディオトラックや、パーソナルコンピュータや他の計算デバイスにおいて読み取り可能なマルチメディアデータの再生が可能なクロスプラットフォーム（ｃｒｏｓｓ  ｐｌａｔｆｏｒｍ）をユーザに提供することができる。さまざまなセレクタユニットがＥ−ＣＤにおいて利用されうることは当業者には明らかであろう。
【０００６】
同様に、ＤＶＤのようなビデオメディアが普及してきている。ＤＶＤプレーヤーは普及品となりつつあり、好適な映像コンテンツの視聴方法としてビデオテーププレーヤーに取って代わりつつある。当業者はＤＶＤ書き込み可能ディスクまたはＤＶＤ書き換え可能ディスクがＶＨＳテープの機能に完全に取って代わると考えている。その結果、コンテンツがこのフォーマットで記録されるにつれて、著作権保護の問題が顕著になるであろう。
【０００７】
図２は、従来のＤＶＤの一例となる構成に関するブロック図である。図２に示されるように、メインメニューセクション２００はさまざまなアクティブ「ボタン」を備える。プレイムービーセレクタ（ｐｌａｙ  ｍｏｖｉｅ  ｓｅｌｅｃｔｏｒ）２０２、チャプタセレクタ（ｃｈａｐｔｅｒ  ｓｅｌｅｃｔｏｒ）２０４及び言語セレクタ２０６のようなボタンの中のいくつかは、ＤＶＤに含まれる映画の視聴に関するものである。プレイオールセレクタ２０２は好ましくはビデオチャプタ２０８のリストに接続され、チャプタセレクタ２０４はチャプタビデオ２１２を有するビデオデータベース２１０から映像コンテンツを取得する。さらに、言語セレクタ２０６は映画とともに表示されるさまざまな言語を有する言語データベース２１４に接続され、さらにサブタイトルデータベース２１６に接続される。例えば、映画は英語、仏語あるいはスペイン語でサブタイトル付きあるいはなしで視聴可能である。図２は言語セレクタ２０６を介したサブタイトルの選択を示しているが、別のサブタイトルセレクタがメインメニューセレクション２００で利用されてもよい。
【０００８】
映画の再生は、オーディオ再生セレクタ２１８とビデオ再生セレクタ２２０により、ユーザ選好に従い調整されてもよい。オーディオ再生セレクタ２１８は、映画のためのサウンドオプションを設定する。例えば、もしＤＶＤプレーヤがサラウンドサウンドスピーカーシステムに接続されていれば、オーディオ再生セレクタ２１８は「ｓｔｅｒｅｏ  ５．１．」に設定されてもよい。他のオーディオ再生オプションには、ｓｔｅｒｅｏ  ２．１、ドルビーデジタルなどが含まれる。これらさまざまなオーディオ再生オプションが、オーディオ再生データベース２２２に保存される。同様に、ビデオ再生セレクタ２２０はノーマル表示あるいはワイドスクリーン表示のようなビデオ表示オプションを設定する。これらの表示オプションは、好ましくはビデオ再生データベース２２４に保存される。
【０００９】
従来のＤＶＤは、典型的には、アーティストの経歴や写真のような映画以外の付加的なマルチメディアコンテンツを含んでいる。従って、ＤＶＤはまた、経歴データベース２２８に接続されるアーティストバイオグラフィセレクタ２２６と、フォトギャラリ２３２に接続されるフォトセレクタ２３０を備える。他のコンテンツとしては、監督や俳優のインタビュー、フィルムから抜粋された撮影場面や映画の他のエンディングが含まれうる。典型的には、ＤＶＤはさらに、著作権保護メッセージ２３４と企業ロゴ２３６を備える。
【００１０】
より最近のＤＶＤでは、ユーザがそのＤＶＤと関連したウェブサイトへリンクできるよう、ウェブリンクが与えられている。例えば、ＤＶＤにおける映画はそれのプロモーションウェブサイトを持っているかもしれない。その場合、ＤＶＤはインターネットに接続されたパーソナルコンピュータデバイスや同様のデバイス（例えば、パーソナルコンピュータや「ウェブテレビ」など）で再生されねばならない。ウェブリンクセレクタ２３８は、パーソナルコンピュータデバイスがウェブリンクデータベース２４０に挙げられた映画のウェブアドレスに接続できるようにする。
【００１１】
従来のＣＤとＤＶＤ両方とも、読み出し専用メディアとして製作されているので、過去のコンテンツを含んでいる。そのコンテンツはメディアから読み出され、そのメディアと互換性のある装置により再生される。従ってユーザがＣＤやＤＶＤを取得するとき、そのコンテンツは恐らく作成から数年経過していて、時代遅れなものになっているかもしれない。
【００１２】
このことから、ユーザがコンテンツをコレクタブルフォーマットで記録し、関連業界のすべてのライセンス要件を保護が可能なシステム及び方法への必要性がある。さらに、インターネットのようなデジタルデータ技術において、コレクタブルコンテンツの従来の制作及び配信を収束させるシステム及び方法への必要性がある。
【００１３】
［発明の概要］
本発明によるシステム及び方法は、メディアディスクの購入後、ユーザがコレクタブルなデジタルメディアを取得することを可能にする。メディアディスクに記録された記憶メディアライセンスデータ（ＳＭＬＤ）により、ユーザは新たなコレクタブルデジタルメディアのダウンロード及び保存を許可される。ＳＭＬＤには、購入時に取得した先行ライセンス（ｐｒｅ−ｌｉｃｅｎｓｅ）、あるいはコレクタブルデジタルメディアへの権利の交渉を可能とするものが含まれる。従って、本発明によるシステム及び方法により、関連業界が保有するすべてのライセンス要件を保護しながら、コレクタブルフォーマットでのユーザによるコンテンツの記録を可能にする。
【００１４】
また、本発明によるシステム及び方法は、デジタルメディアの従来の制作方法とインターネットのようなデジタルデータ技術のためのコレクタブルコンテンツの配信方法とを両立させることができる。一例として、マスタホストディスク（ＭＨＤ）がユーザにより購入される。購入時、ＭＨＤには、ビデオ及び／またはオーディオトラック（例えば、ＤＶＤの映画やＣＤの音楽）のような読み出し専用（ｒｅａｄ  ｏｎｌｙ）のデータが含まれている。またＭＨＤには、電子プレスキット（ｅｌｅｃｔｒｏｎｉｃ  ｐｒｅｓｓ  ｋｉｔ）、付加価値の付けられたビジュアルアイテム、スクリーンセーバー、最初の「シングルリリース」に応じたビデオなどの追加的なマルチメディアコンテンツが含まれていてもよい。しかしながら、必ずしもすべてのコンテンツが購入初期時に利用可能でなくてもよい。例えば、第２「シングルリリース」及び第３「シングルリリース」に対応する第２ビデオ及び第３ビデオは利用可能でなくともよい。
【００１５】
本発明によるシステム及び方法は、コンテンツが利用可能になるときに、ユーザが第２及び第３の「シングルリリース」ビデオのような将来的なコレクタブルコンテンツを、同一のＭＨＤにダウンロード及び保存することを可能にする。ＭＨＤに保存されたＳＭＬＤのライセンスは、インターネット上の権利管理サーバにより認証される。権利管理サーバによりユーザが新たなコンテンツに関する権利を有すると判断されれば、ユーザのアクセス及びコンテンツサーバからの新たなコンテンツのダウンロードが許可される。
【００１６】
本発明は、音楽、映画及びテレビのようなさまざまな産業で利用可能であり、ＤＶＤ記憶メディア、ＣＤ記憶メディア及びハイブリッド光ディスクメディアのようなさまざまなメディアで具現化されうる。さらに、本発明は、ハードディスクや他の記憶メディアフォーマットでも実施可能であってもよい。本発明の他の効果、特徴及び実施例は、以下で与えられる図面と詳細な説明から明らかになるであろう。
［実施例の詳細な説明］
本発明によるシステム及び方法は、コレクタブルデジタルメディアに関する現状における制約を解消あるいは実質的に軽減するものである。図３を参照するに、本発明によるエンハンスＣＤの実施例が示される。図３のエンハンスＣＤは図１の従来タイプのＥ−ＣＤと類似したものであり、さらに、プレイオールセレクタ３０２、ビデオセレクタ３０４、ウェブリンクセレクタ３０６、バイオグラフィセレクタ３０８、フォトセレクタ３１０及びオーディオセレクタ３１２からなるメインメニューセクション３００を備える。同様に、エンハンスＣＤはさらに、ウェブアドレスを有するウェブリンクデータベース３１４、アーティスト経歴情報を有する経歴データベース３１６及び写真を供給するフォトギャラリ３１８を備える。最後に、エンハンスＣＤは、複数のオーディオトラック３２２を有するオーディオトラックデータベース３２０を備える。
【００１７】
しかしながら、図１の従来タイプのＥ−ＣＤと異なり、図３のエンハンスＣＤは、さらなるコンテンツを有するためのライセンス記憶領域である記憶領域３２４を備える。記憶領域３２４へのコンテンツ保存のための認証は、記憶メディアライセンスデータ（ＳＭＬＤ）領域３２６に含まれる。ＳＭＬＤには、ＳＭＬＤ３２６の用語や条件により定義されるような所定のライセンスコンテンツやユーザ選択可能な選択のコンテンツをユーザが記憶領域３２４に記録する権利が含まれる。好ましくは、追加的なコンテンツはウェブリンクデータベース３１４において特定されるウェブサイトからダウンロードされる。ＳＭＬＤの処理の一部として、ビデオセレクタ３０４が記憶領域３２４に記録されるコンテンツを参照することにより更新される。図３の実施例は記憶メディア（ＳＭ）処理の後からの制作（ｐｏｓｔ−ｍａｎｕｆａｃｔｕｒｉｎｇ）を可能とするので、エンハンスＣＤは好ましくはエンハンスＣＤ−ＳＭとして知られる。
【００１８】
図３はさらに、専用のウェブリンクをショッピングモール３２８にアクセスするオプショナルのショッピングセレクタ３１１を示している。例えば、Ｅ−ＣＤのユーザは、そのＥ−ＣＤのアーティストからのＴシャツの購入を希望するかもしれない。ショッピングモールリンク３２８は、このアーティストの関連アイテムを提供しているウェブサイトに直接ユーザを接続することができる。
【００１９】
図４を参照するに、コンテンツストレージ（例えば、ＤＶＤ記憶メディア）を後からの制作が可能なＤＶＤの一例となるブロック図が示される。ＤＶＤ記憶メディア（ＤＶＤ−ＳＭ）は、さらに、ＤＶＤに含まれる映画の視聴品質を調整するためのプレイセレクタ４０２（例えば、映画全体を再生する）、チャプタセレクタ４０４及び言語セレクタ４０６からなるメインメニューセクション４００を備える図２の従来タイプのＤＶＤに類似する。これらのセレクタは各データベースに接続されることが好ましい。すなわち、プレイオールセレクタ４０２はチャプタリスティング（ｃｈａｐｔｅｒ  ｌｉｓｔｉｎｇ）４０８に接続され、チャプタセレクタ４０４はビデオチャプタ４１２を有するビデオデータベース４１３に接続され、言語セレクタ４０６は言語データベース４１４とサブタイトルデータベース４１６の両方に接続されることが好ましい。図４は言語セレクタ４０６を介したサブタイトルの選択を示しているが、別のサブタイトルセレクタがメインメニュー選択４００において利用されてもよい。
【００２０】
同様に、映画の再生は、「ｓｔｅｒｅｏ  ５．１」のような映画の音声オプションを設定するオーディオ再生セレクタ４１８や、ノーマル表示あるいはワイド表示のような映像表示オプションを設定するビデオ再生セレクタ４２０により、ユーザ選好に合わせて調整されてもよい。オーディオオプションはオーディオ再生データベース４２２に保存されることが好ましく、表示オプションは表示再生データベース４２４に保存される。
【００２１】
従来タイプのＤＶＤと同じように、ＤＶＤ−ＳＭはアーティストの経歴や写真のような追加的なマルチメディアコンテンツを含んでもよい。従って、ＤＶＤ−ＳＭは、随意的に経歴データベース４２６に接続されるアーティストバイオグラフィセレクタ４１０及びフォトギャラリ４２８に接続されたフォトセレクタ４１１を備えていてもよい。他のオプショナルなコンテンツがＤＶＤ−ＳＭにおいて実現されてもよい。ＤＶＤ−ＳＭはさらに、著作権保護メッセージ４３４と企業ロゴ４３６を備えていることが好ましい。さらに、ウェブリンクデータベース４４０にリストされたウェブサイトへの接続を可能にするため、ウェブリンクセレクタ４３８が与えられてもよい。
【００２２】
本実施例では、読み出し／書き込み可能ＤＶＤの形式での読み出し／書き込み可能読み出し／書き込み可能ＤＶＤ−ＳＭは、さらに、記憶領域４４２と、追加的コンテンツの記憶領域４４２への収集及び保存を可能にする記憶メディアライセンスデータ（ＳＭＬＤ）領域４４４を備える。このコンテンツには、例えば、ホームコメディの季節、一連のレースあるいは他のスポーツコレクションなどが含まれうる。ＳＭＬＤ４４４は、典型的にはＤＶＤの購入後、ＳＭＬＤ４４４により記述されるような許可設定の下、より多くのコンテンツが記憶領域４４２に保存されることを可能にする。この追加的コンテンツは、コンテンツの目次を形成するチャプタセレクタ４０４を介し索引が付けられることが好ましい。
【００２３】
図５は、もともと顧客に販売される一例となるマスタホストディスク（ＭＨＤ）５００の物理的レイアウトを示す。ＭＨＤは、ＣＤ−ＳＭ、ＤＶＤ−ＳＭや他の類似の記録可能なメディアであってよい。図５に示される実施例において、ＭＨＤ５００はＣＤ−ＳＭである。ＭＨＤ５００は、ＳＭＬＤデータ領域５０２、読み出し専用データ領域５０４、ＷＯＲＭ（Ｗｒｉｔｅ  Ｏｎｃｅ  Ｒｅａｄ  Ｍａｎｙ）データ記憶領域５０６を備えるよう示される。ＳＭＬＤデータ領域５０２は、書き込み保護され、マスタホストディスク５００のクローズセクタに位置してもよい。ＳＭＬＤデータエリア５０２に含まれる権利は、以前から利用可能なコンテンツ、あるいはコンテンツが利用可能となるにつれた将来的に利用可能になるコンテンツの記録を許可する。ＷＯＲＭデータ記憶領域５０６は初期的には設置されていない。ＳＭＬＤ５０２により許可されると、ユーザはコレクタブルコンテンツを備えたＷＯＲＭデータ記憶領域５０６を設置する。この処理に関してはさらなる詳細な説明が後述される。
【００２４】
図６を参照するに、図５のＭＨＤ５００を利用した一例となる環境６００が示される。環境６００は、インターネットに６１０に接続された権利管理サーバ６０２、第１コンテンツサーバ、第２コンテンツサーバ６０６及びユーザ端末６０８を備えることが好ましい。第１及び第２コンテンツサーバ６０４と６０６が示されているが、ユーザにコレクタブルコンテンツを提供する任意の個数のコンテンツサーバがインターネット６１０に接続されてもよい。さらなる実施例では、権利管理サーバ６０２と、第１コンテンツサーバ６０４あるいは第２コンテンツサーバ６０６が同じサーバであってもよいし、あるいは同じ場所に設置されていてもよい。
【００２５】
ユーザ端末６０８はさらに、ホスティングソフトウェア（ｈｏｓｔｉｎｇ  ｓｏｆｔｗａｒｅ）６１２と、例えば、プロセッサ６１４、ディスクドライブ６１６、Ｉ／Ｏインターフェース６１８やメモリ６２０のような典型的な計算デバイスから構成されている。ディスクドライブ６１６では、特にメモリ６２０が十分なサイズを備えていない場合やローカルなキャッシングが必要な場合、ＭＨＤ５００からのデータアクセス、ＭＨＤ５００へのコレクタブルコンテンツの書き込みが可能である。他方、Ｉ／Ｏインターフェースは映像出力、音声出力、データ入出力が可能であってもよい。好ましくは、ユーザ端末６０８はブロードバンド接続を介しインターネット６１０に接続される。または、他のタイプの接続が利用されてもよい。
【００２６】
図６の実施例によると、新しいコンテンツがリリースされるとき、あるいはユーザが選択した新しいコンテンツを保存したいとき、ユーザ端末６０８はＭＨＤ５００のＳＭＬＤ５０２（図５）のコンテンツを利用して、権利管理サーバ６０２と交渉する。ＳＭＬＤ５０２が新たなコンテンツに対するライセンスを所持していると仮定すると、権利管理サーバ６０２は新たなコンテンツへのアクセスを許可する。または、ＳＭＬＤ５０２が所望のコンテンツに関する新しいライセンス合意について交渉してもよい。その後、この新しいコンテンツは１つ以上のコンテンツサーバ６０４と６０６からダウンロードされる。この機能のため、ユーザ端末６０８はホスティングソフトウェア６１２を備え、それを利用することが好ましい。
【００２７】
例えば、レコーディングをしたアーティストが、最初の「シングルリリース」のための最初のビデオクリップとともに記録された作品の中核をなす、オーディオトラック３２０（図３）、ウェブリンク、アーティストの経歴情報及び写真画像を含むＭＨＤ５００をリリースしてもよい。ＭＨＤ５００はさらに、作品の背後にある事実やショッピングモール及びアーティストのウェブサイトへのハイパーリンクをユーザに知らせる電子プレスキット（ＥＰＫ）を備えていてもよい。
【００２８】
典型的には、記録されたアーティストのＭＨＤ５００アルバムからの第２、３、４及びそれ以降の「シングルリリース」のためのビデオクリップは、ＭＨＤ５００のリリース時には作成されていない。実際、第２、３、４及びそれ以降の「シングルリリース」の順序がＭＨＤ５００のリリース時に決められていることはまれである。従って、第２シングルがリリースされるとき、ユーザ端末６０８は第２「シングルリリース」のためのビデオクリップが利用可能であるということをユーザに通知する。ＭＨＤ５００はＳＭＬＤ５０２に第２ビデオクリップの記録を許可するライセンスを含んでいるので、第２ビデオクリップをコンテンツサーバ６０４や６０６からダウンロードし、ＭＨＤ５００のＷＯＲＭ記憶領域５０６（図５）に記録することができる。同様に、第３、４及びそれ以降のリリースに応じたビデオクリップも、それらが利用可能になると、記録可能となる。
【００２９】
また、ＳＭＬＤがユーザに新たなコンテンツのダウンロードを許可しない場合、ＳＭＬＤはユーザがそのコンテンツのダウンロードが許可されるよう新しいライセンスに関し交渉を行うようにしてもよい。例えば、ユーザはＭＨＤ５００のオーディオトラックに応じた音楽ビデオのダウンロードを所望するが、現時点ではダウンロードするためのライセンスを所有していない。交渉により、ユーザはコンテンツに関するライセンス料を支払うことで同意するであろう。
【００３０】
以下では、記憶メディアライセンスデータ（ＳＭＬＤ）管理システムのより詳細な動作が説明される。図７を参照するに、計算デバイス７０２上で動作するＭＨＤ７００の一例となるブロック図が示される。図６のユーザ端末６０８と類似した計算デバイス７０２は、インターネット６１０（図６）との双方向のリンクを形成するネットワークインターフェース７０４、映像出力ポート７０６、音声出力ポート７０８及びデータ入出力ポート７１０を備えていてもよい。映像出力ポート７０６は、映像コンテンツを視聴するためのディスプレイに接続されていることが好ましく、音声出力ポート７０８は少なくとも１つのスピーカーに接続されていることが好ましい。デジタルデータが、バス７１２を介し計算デバイス７０２とＭＨＤ７００との間でシェアされていてもよい。例えば、計算デバイス７０２は、「再生」操作が自動あるいは手動で作動されるとき、ＭＨＤ７００のバス７１２を介し読み出し専用データ領域７１８にアクセスする。
【００３１】
ＭＨＤ７００は、記憶メディアライセンスデータ（ＳＭＬＤ）７１４、記憶領域７１６及び読み出し専用データ領域７１８から構成されることが好ましい。ＳＭＬＤ７１４はさらに、３つのスクリプト領域と３つのデータ領域を備えている。スクリプト領域には、デジタル権利管理スクリプト７２０、記憶領域管理スクリプト７２２及び操作管理スクリプト７２４が含まれ、データ領域には、デジタル権利管理スクリプト７２０に接続されるデジタル権利データ７２６、記憶領域管理スクリプト７２２に接続される記憶領域データ７２８及び操作管理スクリプト７２４に接続される操作管理データ７３０が含まれる。
【００３２】
ユーザの承認あるいは他の自動始動に応答し、計算デバイス７０２はデジタル権利管理スクリプト７２０を読み出し、デジタル権利管理スクリプト７２０に含まれるコードを実行する。デジタル権利管理スクリプト７２０のコードは、計算デバイス７０２にデジタル権利データ７２６にアクセスさせる。その後、デジタル権利データ７２６はネットワークインターフェース７０４を介し権利管理サーバ６０２（図６）に送信される。デジタル権利データ７２６が権利管理サーバ６０２に受付け可能である場合、権利管理サーバ６０２は計算デバイス７０２を承認する。次に、計算デバイス７０２は、記憶領域管理スクリプト７２２の読み出しを開始し、記憶領域管理スクリプト７２２に含まれるコードを実行する。このコードは、新たなコンテンツを記憶領域のどこに書き込むかを決定するため、計算デバイス７０２に記憶領域データ７２８を読み込ませる。記憶領域管理スクリプト７２２はさらに、記憶領域７１６が入力されるコンテンツのデータサイズとデータインテグリティに対しチェックが行えるようビットバジェット管理（ｂｉｔ  ｂｕｄｇｅｔｉｎｇ  ｍａｎａｇｅｍｅｎｔ）を備える。
【００３３】
最後に、ＭＨＤ７００の再生中、計算デバイス７０２は、操作管理スクリプト７２４に含まれるコードを実行するため、操作管理スクリプト７２４にアクセスする。これにより、操作管理スクリプト７２４は、計算デバイス７０２に操作管理データ７３０を読み込み、ユーザが既存の読み出し専用のコンテンツとともに新しいコンテンツを同時にアクセス可能にするためのメニューを生成するため、操作管理スクリプト７２４に従い操作管理データ７３０を処理する。
【００３４】
他の実施例では、ＳＭＬＤはライセンスが記憶メディアに組み込まれるようデータをアーカイブするのに利用されてもよい。図８は、コンパクトディスク記録可能記憶メディア（ＣＤ−Ｒ−ＳＭ）であるＭＨＤ８００の一例となるブロック図である。典型的には、ＭＨＤ８００は、データのバックアップや、ライセンスを受けているソフトウェアアプリケーションや他のコンテンツのコピー及び配信に利用される。ＭＨＤ８００は、記憶領域８０２、ＳＭＬＤ８０４及びウェブリンク８０６を備えていることが好ましい。ユーザがプログラムやアプリケーションの記録を行おうとするとき、ＳＭＬＤ８０４はウェブリンク８０６を介しインターネットサイトにユーザを誘導する。インターネットサイトでは、ユーザはコンテンツやアプリケーションの著作権を取引することができる。著作権の決済により、ＳＭＬＤ８０４は計算デバイスがＭＨＤ８００にコンテンツやアプリケーションを記録することを許可する。ＭＨＤ８００に保存されたデータは、目次（ＴＯＣ）８０８を利用し、索引が付けられてもよい。
【００３５】
本発明の１つの実施例において、ＭＨＤ購入料には、ＳＭＬＤにより解釈されるライセンス料が含まれる。従って、ユーザはオリジナルＭＨＤの購入時に、追加的なコンテンツの先行ライセンス（ｐｒｅ−ｌｉｃｅｎｓｅ）を購入していることになる。例えば、ユーザはＭｉｃｒｏｓｏｆｔ（登録商標）のアプリケーションアーカイブディスクを購入してもよい。その後、ユーザは、コピーを作成する権利に関する先行ライセンスを所有しているので、デジタルマスタやソースから特定のＭｉｃｒｏｓｏｆｔ（登録商標）アプリケーションのコピーを破棄することができる。また、ＳＭＬＤメディアは、コレクタブルアイテムを構成する任意のランダムアクセスデジタル記憶技術であってもよい。
【００３６】
他の実施例では、ＳＭＬＤ技術が光ディスクメディアで利用されてもよい。図９は、ハイブリッド光ディスクメディア９００の側面断面図を示す。本実施例では、メディア９００はＳＭＬＤ  ＣＤオーディオディスクメディアである。メディア９００は、好ましくは、最も普及している光ディスクサイズの標準と同様の半径７．５ｍｍの中心孔９０２と外周１２０ｍｍのポリカーボネート基板９０４を備える。あるいは、メディア９００は、違うサイズの中心孔９０２と外周、及び他の基板形式から構成されてもよい。メディア９００はさらに、ＣＤ技術のＲｅｄ  Ｂｏｏｋ規格に従い、半径２３〜２５ｍｍにリードイン領域（ｌｅａｄ  ｉｎ  ａｒｅａ）９０６を、半径５８〜５８．５ｍｍにリードアウト領域（ｌｅａｄ  ｏｕｔ  ａｒｅａ）９０８を備えている。メディア９００の内部には、読み出し専用データ９１０が含まれている。リードアウト領域９０８には、２Ｈｚの読み出し専用データが含まれている。
【００３７】
ハイブリッド光ディスクメディア９００の製造は、大量生産に適している。始めに、ポリカーボネート基板９０４が、読み出し専用光ディスク大量生産の従来技術を利用して、鋳造される。しかしながら、その鋳型はＷＯＲＭグルーブを含むグルーブ領域９１２である修正領域を備える。次の製作段階で、ＷＯＲＭグルーブ領域９１２上のポリカーボネート基板９０４におけるダイレイヤ（ｄｙｅ  ｌａｙｅｒ）９１４を除去することにより、有機ダイや他の１度のみ書き込み可能な（ｗｒｉｔｅ  ｏｎｃｅ  ｒｅｃｏｒｄａｂｌｅ）メディアでＷＯＲＭグルーブ領域９１２は覆われる。スピンコーティングや他の大量生産技術がダイレイヤ９１２に適用可能である。次に、ポリカーボネート基板９０４とダイレイヤ９１４が、スパッタリング技術を利用して、反射層９１６で覆われる。最終的な保護層９１８が反射層９１６の上部に適用される。
【００３８】
ハイブリッド光ディスクメディアのダイレイヤ９１４に、すぐにスパッタリングされた反射層９１６に接着されないことが効果的である。さらに、外縁及び内縁からの剛性を取得し、全データ領域を覆うダイレイヤを有する典型的なＣＤ−Ｒディスクと異なり、ハイブリッドメディアのダイレイヤ領域９１４は、内部の読み出し専用領域９１０のポリカーボネート基板９０４への反射層９１６のより強力な付着により、一方の側に減少及びサポートされる。従って、ハイブリッドメディア９００は、標準的なＣＤ−Ｒフォーマットに比較して、物理的により強く、そしてより信頼性の高いものとなる。ここで、本発明は単一の書き込み領域あるいは単一の読み出し領域に制限されるものではない。
【００３９】
しかしながら、ハイブリッド光ディスクメディア９００は、それが既存技術と両立するようデータ管理が必要とされる。図１０Ａを参照するに、図９の実施例と類似した一例となるＳＭＬＤハイブリッド書き込み可能光ディスク１０００の上部断面図が示される。しかしながら、図１０Ａの実施例はさらに、ハイブリッド光ディスク１０００のＣＤオーディオセクションにおけるトラックスタートポイントをあらかじめ定義するために利用されるＩＥＣ９０８のＲｅｄ  Ｂｏｏｋ  ＣＤ規格に記述されるようなＰチャンネルサブコードデータを含んでいる。
【００４０】
ハイブリッド光ディスク１０００は、光ディスク１０００のトラック数、各トラックのスタートポイント、各トラックの長さを記述するのに利用される読み出し専用データを含むリードイン領域１００２を備える。本実施例では、１４のトラックがディスク１０００に設定されている。これら１４のトラックのスタートポイントと長さが図１０Ｂの表に記載されている。ディスク１０００の読み出し専用データセクション１００６には、トラック１〜８のスタート及びトラックデータが含まれている。第９トラックは、光メディア（及び光ディスク読取り・書き込み）レーザがハイブリッド書き込み可能移行エッジ（ｈｙｂｒｉｄ  ｗｒｉｔａｂｌｅ  ｔｒａｎｓｉｔｉｏｎａｌ  ｅｄｇｅ）１００４を通過する移行を管理するため、ダミートラックとして利用されることが好ましい。ハイブリッド書き込み移行エッジ１００４は、ディスク１０００の読み出し専用ピット領域（ｒｅａｄ  ｏｎｌｙ  ｐｉｔ  ａｒｅａ）１００６がディスク１０００のＷＯＲＭグルーブ領域１００８に変わる位置である。
【００４１】
第９トラックのＰチャンネルデータを操作することによって、絶対スタートポイント（ａｂｓｏｌｕｔｅ  ｓｔａｒｔ  ｐｏｉｎｔ）が光ディスク１０００の読み出し専用ピット領域１００６に設定することができる。第９トラックの長さは、４秒（すなわち、Ｒｅｄ  Ｂｏｏｋ規格における最小の長さ）に設定されることが好ましく、第１０トラックのスタート領域は１分後に設定されることが好ましい。従って、第１０トラックの絶対スタートポイントは、第１１〜１４トラックの絶対スタートポイントと同様に、ディスク１０００のＷＯＲＭ領域１００８に設定される。
【００４２】
読み出し専用レーザが利用されるとき、ディスク１０００は、リードインデータに記述されるように、典型的な１４トラックＣＤオーディオ製品のようなものである。さらに、第１０〜１４トラックにおけるリードインポイントとその関連データは、初期的にはディスク１０００には存在しない。従って、読み出し専用レーザがディスク１０００の第１０〜１４トラック領域を通過するとき、読み出し専用レーザはデータが存在しないと報告し、これらのトラックをスキップするであろう。第９トラックは４秒間に設定され、レーザの読み出し専用論理によりスキップされるであろう。
【００４３】
しかしながら、記録段階においては、書き込みレーザは第１０〜１４トラックのスタートポイントに向けられ、書き込み可能ＣＤにＣＤ音声としてデータを書き込む。ここで、長さと第１０〜１４トラックはオリジナルの読み出し専用製品の製作時に決定される。
【００４４】
前述のようにＳＭＬＤのハイブリッドＣＤオーディオアプリケーションの更新されたコンテンツの長さは、読み出し専用領域のＰチャンネルトラックデータ１０１０に含まれる製作前の情報に制限されるものではない。しかしながら、ＤＶＤ−ＲＯＭのＵＤＦ（Ｕｎｉｖｅｒｓａｌ  Ｄｉｓｋ  Ｆｏｒｍａｔ）は、ＳＭＬＤの書き込み記憶領域のどの製作前定義に対しても、要求を軽減する。図１１を参照するに、一例となる光ディスク１１００のデータ構造の上部断面図が示される。図１１の実施例はＵＤＦ  ＩＳＯ９６６０レベル３に準拠した光ディスク構造であることが好ましい。このディスク構造は、ＣＤ−ＲＯＭやＤＶＤ−ＲＯＭのためのＳＭＬＤの作成に利用することができる。このディスク構造の下、ＤＶＤ−ＲＯＭはＤＶＤ音声ファイル及び／またはＤＶＤ映像ファイルを含んでもよい。
【００４５】
光ディスク基板１１０２を含むディスク１１００は、書き込み可能グルーブ領域１１０４により広く占められている。読み出し専用データ領域１１０６は、ディスク１１００の内側部分の小さな領域である。セクタフォーマットで書き込まれた読み出し専用データ領域１１０６は、記憶メディアライセンスデータ（ＳＭＬＤ）とＵＤＦ規格によるコンテンツ、及び標準的なオペレーティングシステムにより定義されているようなセクタ論理位置とファイル位置とを関連付ける初期目次を含む他のコンテンツとを有する。読み出し専用データ領域１１０６は、新しいセッションのスタートセクタのアドレスを含むクローズドセッションを有する。このセクタは、有機ダイ材料や他の１度だけ書き込み可能なメディアのカバーが製作工程では正確に制御されないハイブリッド移行エッジ１１０８をセクタが通過するようグルーブ領域１１０４の内側に位置するように選ばれる。
【００４６】
書き込み可能グルーブ技術が参照されているが、既存あるいは新たに発明される任意の書き込みあるいは書き換え可能（ｒｅｗｒｉｔａｂｌｅ）技術が上述の実施例において参照されたグルーブ領域の置き換えに利用されうる。
【００４７】
ＩＳＯ９６６０レベル３は、ＣＤ−Ｒ及びＤＶＤ＋ＲＷあるいは他のＤＶＤフォーマットへのデータの書き込みを行うためのパケットの利用を可能にしている。初期的読み出し可能データは、パケット書き込みフォーマットで行われてもよい。パケット書き込みデータフォーマットは、セッション毎に更新前のディスクから更新後のディスクへの目次の移行が可能なため、ＳＭＬＤ技術に有益である。パケットの書き込みでは、製作前プロセスにより決定されなくてもよい可変長更新ファイルが可能である。
【００４８】
コンテンツがディスク１１００に追加され、ディスク１１００が更新されるたびに、コンテンツファイルの更新された目次がセッションの終了時に書き込まれる。読み出し専用データは、初期的な目次を含んでいることが効果的である。ＩＳＯ９６６０レベル３規格では、ディスク１１００がクローズされるとき、ディスク１１００はＩＳＯ９６６０レベル１読取器により読み出し可能である。終了前、オペレーティングシステムのソフトウェアドライブが、ディスクメディアのセクタデータあるいはパケットデータからのファイルの論理位置のための仮想ファイルアロケーションテーブル（ＶＦＡＴ）の作成に利用される。従って、メディアはＤＶＤバーナー（ＤＶＤ  ｂｕｒｎｅｒ）で読み出し可能である。唯一の制約は、最終セッションがクローズされ、ＩＳＯ９６６０レベル１の目次が書き込まれる前には、ディスク１１００が十分書き込むことができないということである。セッションがクローズされ、更新されたコンテンツがＳＭＬＤに焼き付けられた後、ディスク１１００はレベル１読取器あるいは標準的ＤＶＤプレーヤーにより読み取り可能となる。
【００４９】
さらなる実施例では、新たなコンテンツが、最終セッションの終了までディスクに十分な書き込みをさせない方策が、記憶領域の残りの焼付け可能記憶領域から生成される。
【００５０】
本発明はＩＳＯ９６６０を参照しているが、ＳＭＬＤが実現される規格は、光ディスクメディアに適用可能な他の既存の規格あるいはこれから定義される任意のものであってよい。
【００５１】
さらに、ＤＶＤ−ＲＯＭは、新たな映像ファイルが追加され、それがＶＩＤＥＯ＿ＴＳディレクトリに含まれるよう構成されうる。目次や他のファイルが、この新しいコンテンツをＤＶＤプレーヤーに知らせるために更新される。同様に、ハイブリッドＤＶＤフォーマットやＣＤフォーマットの変形が、ここで説明されたようなＳＭＬＤ互換のため製作・管理される。
【００５２】
さらなる実施例では、ＳＭＬＤは、ファイルが記憶メディアに書き込まれる前あるいは書き込まれるとき、ファイルの解読を形成する暗号鍵を含んでもよい。他の実施例では、ＳＭＬＤは、ログイン名、パスワード、及びユーザをプライベートセキュア（ｐｒｉｖａｔｅ  ｓｅｃｕｒｅ）ウェブサイトに自動的に導くスクリプトを含んでもよい。
【００５３】
また他の実施例では、フォーマットされていないブランクディスクやＤＶＤ＋ＲＷのようなあらかじめフォーマットされた光ディスクは、ＳＭＬＤに作成されるエンドユーザにより書き込まれた目次とファイルを含んでもよい。この実施例では、ブランクディスクがバーナーあるいはレコーダに配置される。その後ユーザは、記録したいコンテンツに関し、ソフトウェアインターフェースを介しさまざまなオプションを適用する。目次とファイルがソフトウェアアプリケーションにより生成され、等価なＳＭＬＤデータがブランクディスクに焼き付けあるいは記録される。このプロセスには、ライセンスやサービスのための取引が含まれてもよい。また、ライセンス料はゼロでもよく、ＳＭＬＤは単なるサービスとして利用されてもよい。例えば、ソフトウェアアプリケーションが、ユーザが記録したいテレビ番組のシリーズをプログラムするようインターネット上で利用されてもよい。インターネットサイトにおけるメニュー駆動選択プロセス（ｍｅｎｕ  ｄｒｉｖｅｎ  ｓｅｌｅｃｔｉｏｎ  ｐｒｏｃｅｓｓ）が適当なファイルをコンパイルし、そのファイルをユーザの計算デバイスにダウンロードし、ブランクディスクからＳＭＬＤを作成する。このプロセスは、ＤＶＤメディアとＳＭＬＤ技術のデジタル能力を十分利用することによって、ビデオレコーダあるいは本実施例におけるＤＶＤレコーダのプログラミングに関する問題を効果的に解決する。レコーディングパラメータの選択に利用されるソフトウェアアプリケーションはホストデバイスにのみ設置され、従って本実施例はインターネットへの接続なく機能するよう構成されてもよい。
【００５４】
さらなる実施例では、読み出し専用領域にソフトウェアアプリケーションを有するＳＭＬＤハイブリッドブランクディスクが使われる。
【００５５】
他の例では、ホームコメディのようなシリーズもののコンテンツを記録するための権利が、インターネットベースのアプリケーションを介し購入される。生成されるＳＭＬＤデータは、インターネットを介しダウンロードされ、ブランクディスクに焼かれる。このブランクディスクがＤＶＤレコーダに挿入され、レコーダをプログラムする。このホームコメディが放送されると、適当な時刻に録画の開始と終了を実行する。番組放送時にＤＶＤレコーダにディスクがなくても、後で番組をダウンロードできる機能がＳＭＬＤデータに備えられていてもよい。
【００５６】
他の実施例では、記録可能（ｒｅｃｏｒｄａｂｌｅ）あるいは書き換え可能（ｒｅ−ｗｒｉｔａｂｌｅ）なブランクディスクにＳＭＬＤデータが焼き付けられ、ＤＶＤレコーダに挿入される。このＳＭＬＤデータは、ケーブル放送や無線の放送からのアナログコンテンツを記録するＤＶＤレコーダをプログラムするのに利用される。本実施例によると、ユーザがブロードバンドのインターネット接続や広域ネットワークのインフラストラクチャを必要とせず、ＤＶＤレコーダにおいて新しいコンテンツのデジタル符号化が実行できる。
【００５７】
さらなる実施例では、ＭＨＤはＤＶＤプラスＳＭフォーマットであってもよい。本実施例では、ユーザはアーティストのＤＶＤプラスアルバム（例えば、片側にＤＶＤを、もう一方の側にエンハンスＣＤを有するフォーマット）を購入することができる。オーディオトラックがＭＨＤのエンハンスＣＤサイドに保存されている。ＤＶＤサイドには、電子プレスキット、ファーストビデオ及び他の映像コンテンツが含まれてもよい。その後、次のシングルがリリースされるとき、ユーザはインターネットを介し新しいビデオをダウンロードすることができる。各ビデオのダウンロード料は通常のシングルリリースと同額であってもよい。従って、ユーザはアルバムの中に継続的に追加することができる。アルバムの有効期限はその後延長され、音楽会社やアーティストは継続的な収入を享受することができる。
【００５８】
他の実施例では、ＭＨＤが自動車レースのようなテレビ放映されるスポーツに適用されるとする。ユーザは、リリースされたグランプリシーズンを完全にカバーしたディスクを購入することができる。このディスクは、昨シーズンをまとめたもの、各チームの紹介及び今シーズンのすべてのマシーンの構造と詳細を写したものであってもよい。その後、ユーザは毎週各レースをダウンロードする。シーズン終了時に、ユーザは簡単なアクセスメニューを参照することで、シーズンのレースを完全に収めたものを手に入れることになる。オリジナルの読み出し専用コンテンツと追加的な更新コンテンツが１枚のハイブリッド光ディスクの記憶領域を上回ってしまう場合、複数のハイブリッド光ディスクを使って、コレクタブルアイテムの完全な収録がなされてもよい。
【００５９】
図１２は、ＭＨＤを利用するための一例となる方法を示したフローチャート１２００である。ここでは、図４のＤＶＤ−ＳＭを参照することにより説明される。ブロック１２０２において、ユーザはＭＨＤを取得する。前述のように、ＭＨＤはＤＶＤ−ＳＭ、ＣＤ−ＳＭ及びハイブリッド光ディスクメディアを含む任意のタイプの記録可能なメディアでありうる。典型的には、ユーザは小売店でＭＨＤを購入する。ＭＨＤは、ビデオチャプタ４１２（図４）のような履歴コンテンツ、言語及びサブタイトルデータ、音声及び映像再生オプションを含んでいることが好ましい。ＭＨＤはまた、ＳＭＬＤ４４４（図４）を含んでいるかもしれない。
【００６０】
次に、ブロック１２０３では、ユーザはこのＭＨＤにとって利用可能な新しいコンテンツをチェックする。このチェックは自動でも手動でもよい。例えば、ＭＨＤは、それが利用されるたびに、ウェブリンクデータベース４４０に与えられるような指定のウェブサイトにインターネットを介し自動的に接続を行う。また、ＭＨＤはある時間や日数の間隔でチェックを行うようプログラムされていてもよい。
【００６１】
新しいコンテンツがブロック１２０４で利用可能になると、ＭＨＤは認証のため権利管理サーバ６０２（図６）に記憶メディアライセンスデータ４４４を送信する。ＳＭＬＤ４４４に含まれる権利がユーザの新しいコンテンツへのアクセスを許可すれば、ユーザはＭＨＤの記憶領域４４２（図４）にこの新しいコンテンツのダウンロードが可能になる。また、ユーザが新しいコンテンツへの権利を保有していない場合、ブロック１２１０においてこのデータへの権利を交渉することを選択するかもしれない。この交渉には、ユーザが興味をもつ新しいコンテンツの量と、ユーザが支払うことに同意するライセンス料とが含まれる。ブロック１２１２で合意に達すると、ユーザはブロック１２０８において記憶領域４４２に新たなコンテンツへのアクセス及びダウンロードが許可される。
【００６２】
ここでの詳細な説明を通じて、光ディスクメディアが参照されてきたが、ＳＭＬＤによる方法は既存あるいは将来的に発明される任意のデジタル記憶メディアに適用可能である。
【００６３】
ここでの詳細な説明を通じて、光ディスクメディアに収められたＳＭＬＤが参照されてきたが、ＳＭＬＤはまたホストデバイスの揮発性あるいは不揮発性メモリに保存されてもよい。
【００６４】
本発明は特定の実施例を参照することにより説明されてきた。しかしながら、本発明のより広い範囲を逸脱することなく、さまざまな修正が可能であり、他の実施例が利用されうるということが当業者には明らかであろう。例えば、他の形式のディスクメディアが本発明において利用可能である。従って、これら及び前述の特定の実施例に関する他の変形が、本発明によりカバーされる。
【図面の簡単な説明】
【００６５】
【図１】図１は、従来技術によるエンハンスＣＤの構造を示すブロック図である。
【図２】図２は、従来技術によるＤＶＤの構造を示すブロック図である。
【図３】図３は、本発明によるエンハンスＣＤ−ＳＭの構造を示すブロック図である。
【図４】図４は、本発明によるＤＶＤ−ＳＭの構造を示すブロック図である。
【図５】図５は、本発明による一例となるマスタホストディスクの物理的レイアウトを示す。
【図６】図６は、本発明が実施される一例となる環境を示す。
【図７】図７は、計算デバイスにおいて動作する一例となるマスタホストディスクを示す詳細なブロック図である。
【図８】図８は、他のマスタホストディスクの一例となるブロック図である。
【図９】図９は、本発明によるハイブリッド光ディスクメディアの側面図である。
【図１０Ａ】図１０Ａは、Ｐチャンネルサブコードデータを備えるハイブリッドディスクメディアの上部断面図である。
【図１０Ｂ】図１０Ｂは、トラックのスタートポイントと長さを示す図である。
【図１１】図１１は、本発明による他の光ディスクの上部断面図である。
【図１２】図１２は、一例となるＳＭＬＤディスクの利用方法を示したフローチャートである。
【図１】
2004530241.tif 000003
【図２】
2004530241.tif 000004
【図３】
2004530241.tif 000005
【図４】
2004530241.tif 000006
【図５】
2004530241.tif 000007
【図６】
2004530241.tif 000008
【図７】
2004530241.tif 000009
【図８】
2004530241.tif 000010
【図１０Ａ】
2004530241.tif 000011
【図１１】
2004530241.tif 000012
【図１２】
2004530241.tif 000013
【国際公開パンフレット】
2004530241.tif 000014
2004530241.tif 000015
2004530241.tif 000016
2004530241.tif 000017
2004530241.tif 000018
2004530241.tif 000019
2004530241.tif 000020
2004530241.tif 000021
2004530241.tif 000022
2004530241.tif 000023
2004530241.tif 000024
2004530241.tif 000025
2004530241.tif 000026
2004530241.tif 000027
2004530241.tif 000028
2004530241.tif 000029
2004530241.tif 000030
2004530241.tif 000031
2004530241.tif 000032
2004530241.tif 000033
2004530241.tif 000034
2004530241.tif 000035
2004530241.tif 000036
2004530241.tif 000037
2004530241.tif 000038
2004530241.tif 000039
2004530241.tif 000040
2004530241.tif 000041
2004530241.tif 000042
2004530241.tif 000043
2004530241.tif 000044
2004530241.tif 000045
2004530241.tif 000046
2004530241.tif 000047
2004530241.tif 000048
2004530241.tif 000049
2004530241.tif 000050
2004530241.tif 000051
2004530241.tif 000052
【国際調査報告】
2004530241.tif 000053
2004530241.tif 000054
2004530241.tif 000055